(57)【要約】【課題】構内テレビ放送網１２に接続された複数のテレビ端末１４個々の視聴動作を親機１３が管理する構内テレビ放送システムで、大規模で端末数が大きな場合でもより短時間のうちにテレビ端末１４の動作プログラムの更新を実行する。【解決手段】テレビ端末１４は、親機１３の制御の下に送られてくるテレビ放送を視聴するための動作プログラムを更新記憶可能なメモリ（２６）と、親機１３から転送されてくる動作プログラムをメモリ（２６）に更新記憶させる制御部（２１）とを有し、親機１３は、動作プログラムの更新に際して複数のテレビ端末１４，１４，…全てに一連の動作プログラムを一括転送した後、転送した動作プログラムのメモリ（２６）への更新記憶を完了していない個々のテレビ端末１４から、動作プログラムの部分的な再送要求を受付け、再送要求を受付けた当該テレビ端末１４を含む複数のテレビ端末１４，１４，…に対して該当する部分的な動作プログラムを順次転送する。【選択図】    図１
2004165995.tif 000002
【特許請求の範囲】
【請求項１】
構内テレビ放送網に接続された複数のテレビ端末個々の視聴動作を親機が管理する構内テレビ放送システムであって、
上記テレビ端末は、
上記親機の制御の下に上記構内テレビ放送網を介して送られてくるテレビ放送を視聴するための動作プログラムを記憶する、電気的に書換え可能なメモリと、上記親機から転送されてくる動作プログラムを上記メモリに記憶させるメモリ制御手段とを有し、
上記親機は、
上記動作プログラムの更新に際して、上記複数のテレビ端末すべてに一連の動作プログラムを一括して転送する第１の転送手段と、
この第１の転送手段での転送処理に続き、転送した動作プログラムの上記メモリへの更新記憶を完了していない個々のテレビ端末から、動作プログラムの部分的な再送要求を受付け、再送要求を受付けた当該テレビ端末を含む複数のテレビ端末に対して該当する部分的な動作プログラムを順次転送する第２の転送手段とを有する
ことを特徴とする構内テレビ放送システム。
【請求項２】
上記親機は、上記テレビ端末の設置されている状況に対応したタイミングで上記第１及び第２の転送手段を実行することを特徴とする請求項１記載の構内テレビ放送システム。
【請求項３】
上記テレビ端末のメモリは、少なくともバージョンの異なる２つの動作プログラムを記憶可能な領域を有し、
上記親機は、個々のテレビ端末に対して使用する動作プログラムを切換選択させる
ことを特徴とする請求項１記載の構内テレビ放送システム。
【請求項４】
構内テレビ放送網に接続された複数のテレビ端末個々の視聴動作を親機が管理する構内テレビ放送システムでのプログラム転送方法であって、
上記テレビ端末が上記親機の制御の下に上記構内テレビ放送網を介して送られてくるテレビ放送を視聴するために記憶する動作プログラムの更新に際して、上記親機より複数のテレビ端末すべてに対して一連の動作プログラムを一括して転送する第１の転送工程と、
この第１の転送工程に続き、転送した動作プログラムの更新記憶を完了していない個々のテレビ端末から、動作プログラムの部分的な再送要求を受付け、再送要求を受付けた当該テレビ端末を含む複数のテレビ端末に対して上記親機より該当する部分的な動作プログラムを順次転送する第２の転送工程と
を有したことを特徴とするプログラム転送方法。
【発明の詳細な説明】
【０００１】
【発明の属する技術分野】
本発明は、例えばホテルや旅館、病院などの客室や病床毎に設置されたテレビ受像機でテレビ放送を視聴する構内テレビ放送システムと、このシステムで使用されるプログラム転送方法に関する。
【０００２】
【従来の技術】
一般にホテルや旅館、病院などの構内の客室や病床毎に端末機としてのテレビ受像機を設置し、上記構内に敷設したＣＣＴＶ（Ｃｌｏｓｅｄ  ＣｉｒｃｕｉｔＴｅｌｅＶｉｓｉｏｎ：構内テレビ）網の親機より一般の地上波テレビ放送のみならず一部有料のサービス放送などを一括的に管理して供給することで、上記個々のテレビ受像機でそれらの放送を自由に視聴できるようにした構内テレビ放送システムが実用化されている。
【０００３】
この種の構内テレビ放送システムでは、端末機である個々のテレビ受像機が、親機の制御の下にテレビ放送を視聴するための動作プログラムを予め記憶しており、その記憶した動作プログラムに基づいて動作するようになっている。
【０００４】
その場合、動作プログラムは通常マスクＲＯＭの形で記憶される。したがって、仕様変更や機能の追加などによって動作プログラムを更新したい場合には、テレビ受像機内の回路に実装されているマスクＲＯＭを人手で１台毎に物理的に交換しなくてはならない。
【０００５】
【発明が解決しようとする課題】
近時、上記のような構内テレビ放送システムのテレビ受像機は、上記マスクＲＯＭに代えて、電気的に一括あるいはブロック単位で記憶内容を書換え可能なフラッシュメモリを用いたものに移行しつつあり、動作プログラムの更新をＣＣＴＶ網を介して実行する環境が実現しようとしている。
【０００６】
しかしながら、構内テレビ放送システムの場合、ＣＣＴＶ網は一般に同軸ケーブルを用いて構成されており、ノイズの影響を受け易いなど回線品質は決してよいものではないので、プログラム等のデータ転送後には誤り訂正処理が必須となる。
【０００７】
したがって、システムの親機から全テレビ受像機へ一斉に動作プログラムを転送して更新することはできず、１台毎にテレビ受像機のポーリングを行ない、確実に動作プログラムの転送を実行していかなくてはならない。
【０００８】
しかるに、上述した如く１台毎にテレビ受像機へのプログラム転送を行なうものとした場合、例えば客室が１０００室あり、したがってテレビ受像機も１０００台ある大規模なホテルでは、転送するプログラムのデータサイズが２［Ｍビット］、データ転送速度が３２［Ｋｂｐｓ］であるとすると、全転送が完了するまでに１８時間程度を要することとなり、現実的ではない。
【０００９】
本発明は上記のような実情に鑑みてなされたもので、その目的とするところは、大規模で端末数が大きな構内テレビ放送システムであっても、より短時間のうちにテレビ端末の動作プログラムの更新を実行することが可能な構内テレビ放送システム及びプログラム転送方法を提供することにある。
【００１０】
【課題を解決するための手段】
請求項１記載の発明は、構内テレビ放送網に接続された複数のテレビ端末個々の視聴動作を親機が管理する構内テレビ放送システムであって、上記テレビ端末は、上記親機の制御の下に上記構内テレビ放送網を介して送られてくるテレビ放送を視聴するための動作プログラムを記憶する、電気的に書換え可能なメモリと、上記親機から転送されてくる動作プログラムを上記メモリに記憶させるメモリ制御手段とを有し、上記親機は、上記動作プログラムの更新に際して、上記複数のテレビ端末すべてに一連の動作プログラムを一括して転送する第１の転送手段と、この第１の転送手段での転送処理に続き、転送した動作プログラムの上記メモリへの更新記憶を完了していない個々のテレビ端末から、動作プログラムの部分的な再送要求を受付け、再送要求を受付けた当該テレビ端末を含む複数のテレビ端末に対して該当する部分的な動作プログラムを順次転送する第２の転送手段とを有することを特徴とする。
【００１１】
このようなシステム構成とすれば、直接再送要求を受付けたテレビ端末以外のまだ更新記憶を完了していないテレビ端末にも同時に動作プログラムの部分的な転送するようにしたので、直接再送要求を受付けたテレビ端末が更新記憶を実行している際に当該動作プログラム部分の更新記憶が必要な他のテレビ端末も同時にその処理を実行することができ、同一動作プログラム部分の転送の重複を避けることができるため、結果として大規模で端末数が大きな構内テレビ放送システムであっても、より短時間のうちにテレビ端末の動作プログラムの更新を実行することが可能となる。
【００１２】
請求項２記載の発明は、上記請求項１記載の発明において、上記親機は、上記テレビ端末の設置されている状況に対応したタイミングで上記第１及び第２の転送手段を実行することを特徴とする。
【００１３】
このようなシステム構成とすれば、上記請求項１記載の発明の作用に加えて、テレビ端末の設置されている状況に対応して、業務等に支障を来すことなく効率的に動作プログラムの更新を実行することができる
請求項３記載の発明は、上記請求項１記載の発明において、上記テレビ端末のメモリは、少なくともバージョンの異なる２つの動作プログラムを記憶可能な領域を有し、上記親機は、個々のテレビ端末に対して使用する動作プログラムを切換選択させることを特徴とする。
【００１４】
このようなシステム構成とすれば、上記請求項１記載の発明の作用に加えて、更新記憶させた動作プログラムに不備があった場合に、その前に記憶していた動作プログラムを再度切換選択することにより、少なくとも動作プログラムを更新記憶させる前と同様の状態に戻すことができる。
【００１５】
請求項４記載の発明は、構内テレビ放送網に接続された複数のテレビ端末個々の視聴動作を親機が管理する構内テレビ放送システムでのプログラム転送方法であって、上記テレビ端末が上記親機の制御の下に上記構内テレビ放送網を介して送られてくるテレビ放送を視聴するために記憶する動作プログラムの更新に際して、上記親機より複数のテレビ端末すべてに対して一連の動作プログラムを一括して転送する第１の転送工程と、この第１の転送工程に続き、転送した動作プログラムの更新記憶を完了していない個々のテレビ端末から、動作プログラムの部分的な再送要求を受付け、再送要求を受付けた当該テレビ端末を含む複数のテレビ端末に対して上記親機より該当する部分的な動作プログラムを順次転送する第２の転送工程とを有したことを特徴とする。
【００１６】
このような方法とすれば、直接再送要求を受付けたテレビ端末以外のまだ更新記憶を完了していないテレビ端末にも同時に動作プログラムの部分的な転送をするようにしたので、直接再送要求を受付けたテレビ端末が更新記憶を実行している際に当該動作プログラム部分の更新記憶が必要な他のテレビ端末も同時にその処理を実行することができ、同一動作プログラム部分の転送の重複を避けることができるため、結果として大規模で端末数が大きな構内テレビ放送システムであっても、より短時間のうちにテレビ端末の動作プログラムの更新を実行することが可能となる。
【００１７】
【発明の実施の形態】
以下本発明をホテルの構内テレビ配信網システムに適用した場合の一実施形態について図面を参照して説明する。
【００１８】
図１は、そのシステム全体の構成を示すものであり、１１がテレビ放送を供給するヘッドエンド機器である。このヘッドエンド機器１１は、一般地上波放送、ＣＳ（Ｃｏｍｍｕｎｉｃａｔｉｏｎｓ  Ｓａｔｅｌｌｉｔｅ：通信衛星）放送、ＢＳ（Ｂｒｏａｄｃａｓｔｉｎｇ  Ｓａｔｅｌｌｉｔｅ：放送衛星）放送等の各各チャンネル周波数信号を合成し、多数の番組を搬送波上で一元的にそれぞれのチャンネル周波数に並べられた放送信号を作成し、同軸ラインで構成された構内テレビ放送網１２に出力する。
【００１９】
この構内テレビ放送網１２にはまた、構内テレビ放送（ＣＣＴＶ）網親機１３と、各客室ＧＲ毎に設置された客室端末１４，１４，…が接続される。
【００２０】
構内テレビ放送網親機１３は、構内テレビ放送網１２上の上記ヘッドエンド機器１１と各客室端末１４，１４，…間に介在し、各客室端末１４，１４，…における、例えば成人指定の有料放送のチャンネルの視聴を禁止するなど、動作の一部を規制し、あるいは客室ＧＲからの要望を受けて客室端末１４，１４，…の遠隔操作を行なうなど、各客室端末１４，１４，…を統括管理し、その動作状況を把握する。
【００２１】
また、この構内テレビ放送網親機１３は、例えばホテルのフロントに設置され、客室毎のチェックイン／チェックアウトや有料サービス利用履歴等を記憶するなど、このホテルの業務全般を管理するホストコンピュータ１５とも接続される。
【００２２】
各客室ＧＲにおいては、客室端末１４に対してテレビ受像機１６が接続されており、リモコンパッド１７でのキー操作による信号を客室端末１４が受付けてテレビ受像機１６で視聴する内容を制御する。
【００２３】
図２によりこの客室端末１４の詳細な回路構成を説明する。同図で、２１はＣＰＵとワークメモリとしてのＲＡＭ等よりなる制御部であり、この制御部２１が、後述するＩｒ受信部２５で受信され、デコードされた上記リモコンパッド１７からのキー操作信号に対応して、上記テレビ受像機１６でテレビ放送を視聴する際の一切の動作制御を司るもので、他にもチューナ２２、復調部２３、変調部２４、及びメモリ２６が接続される。
【００２４】
チューナ２２は、上記構内テレビ放送網１２を介して配信される搬送波上の下りチャンネルのテレビ放送を選局し、中間周波信号に変調して復調部２３へ送出する。
【００２５】
復調部２３は、チューナ２２から与えられる下りチャネルの中間周波信号を復調してテレビ放送の映像信号と音声信号とを抽出し、上記テレビ受像機１６へ供給する一方で、復調結果がテレビ放送ではなく上記構内テレビ放送網親機１３からのデジタルデータであった場合には制御部２１へ出力する。
【００２６】
変調部２４は、例えばこの客室端末１４における動作プログラムの更新記憶動作時の再送要求信号等を予め設定された上りチャンネルの周波数に変調し、構内テレビ放送網１２を介して上記構内テレビ放送網親機１３へ送信する。
【００２７】
Ｉｒ受信部２５は、上記リモコンパッド１７でのキー操作に伴なう赤外線変調信号を受信し、それを復調することで、操作されたキー内容をデコードし、制御部２１へ出力する。
【００２８】
メモリ２６は、例えばフラッシュメモリ等の電気的に書換え可能なＲＯＭで構成され、上記制御部２１の動作プログラムを記憶するもので、その記憶内容は適宜上記構内テレビ放送網親機１３から転送されてくるものに更新設定される。
【００２９】
次に上記実施の形態の動作について説明する。
図３は、上記構内テレビ放送網親機１３がすべての客室端末１４，１４，…に対して実施する動作プログラムの転送処理時の処理内容を示すものである。
【００３０】
その処理当初には、まず構内テレビ放送網１２に接続されるＮ台すべての客室端末１４，１４，…を指定した上で更新すべき一連の動作プログラムを一括転送する（ステップＳ１１）。
【００３１】
その後、個々の客室端末１４を識別するための変数ｎに初期値「１」を設定した上で（ステップＳ１２）、その変数ｎに従って第ｎ番目の客室端末１４を指定し、その客室端末１４が備える制御部２１との通信により一連の動作プログラムの転送状態をチェックする（ステップＳ１３）。
【００３２】
ここで、当該客室端末１４から動作プログラムの部分的な再送要求があるか否かにより、その客室端末１４への動作プログラムの転送がすべて完了したのかどうかを判断する（ステップＳ１４）。
【００３３】
そして、再送要求があり、したがって少なくとも一部の動作プログラムの転送がうまくいかなかったと判断した場合にのみ、その再送要求と共に送られてくる動作プログラムの部分を示す情報に基づいて、要求された動作プログラムの部分をそのｎ番目乃至Ｎ番目の客室端末１４，１４，…に対して一括転送する（ステップＳ１５）。
【００３４】
その後、その時点の変数ｎの値が最大値Ｎとなったか否か、すなわちすべての客室端末１４，１４，…に対して要求通りに動作プログラムの再送を終えたか否かを判断し（ステップＳ１６）、終えていなければ変数ｎの値を「＋１」更新設定した上で（ステップＳ１７）、再び上記ステップＳ１３からの処理に戻る。
【００３５】
こうしてステップＳ１３〜Ｓ１７の処理を繰返し実行することにより、指定したｎ番目の客室端末１４を含んで、その時点でまだ一連の動作プログラムの更新記憶が完全には終えていないと判断されるすべての客室端末１４，１４，…にその都度、必要と思われる部分的な動作プログラムを順次転送していく。
【００３６】
そして、最後のＮ番目の客室端末１４に対して必要により部分的な動作プログラムの転送を行なった後、ステップＳ１６で変数ｎの値が最大値Ｎとなったと判断すると、以上でこの構内テレビ放送網親機１３による動作プログラムの転送処理を終了する。
【００３７】
次に、このような動作プログラムの転送を受ける個々の客室端末１４での処理内容を図４に示す。
この図４において、客室端末１４はまず構内テレビ放送網親機１３から動作プログラムの更新の通知があるのを待機し（ステップＴ１１）、通知を受けると、続いて更新すべき一連の動作プログラムの一括転送を受ける（ステップＴ１２）。
【００３８】
ここで、転送されてきた一連の動作プログラムを構成する部分、具体的にはパケットなどのデータブロック単位で誤り訂正を行ない、正常に転送できなかったデータブロックの有無をチェックした上で（ステップＴ１３）、構内テレビ放送網親機１３から直接端末番号を指定されたか否かを判断し（ステップＴ１４）、なければ自端末宛てに動作プログラムを部分的に構成するデータブロックの受信があったかいなかを判断する（ステップＴ１５）、という処理を繰返してこれらを待機する。
【００３９】
ステップＴ１５で自端末宛てに動作ブロックを部分的に構成するデータブロックの受信があったと判断した場合には、次いでその受信したデータブロックがそれまでに自端末で受信した動作プログラムを構成する部分的なデータブロックの内で不備があったデータブロックであるか否かを判断する（ステップＴ１６）。
【００４０】
そして、不備であったデータブロックである場合にのみ、そのデータブロックを用いて該当する不備のあったデータブロックに代えて更新設定し（ステップＴ１７）、再び上記ステップＴ１３からの待機処理に戻る。
【００４１】
また、上記ステップＴ１４で構内テレビ放送網親機１３から直接自端末の端末番号を指定されたと判断した場合には、次いでその時点でまだ不備のあるデータブロックがあるか否かを判断し（ステップＴ１８）、あれば不備のあるすべてのデータブロックの再送要求を構内テレビ放送網親機１３に対して送信する（ステップＴ１９）。
【００４２】
そして、その再送要求に対応して構内テレビ放送網親機１３から転送されてくるすべてのデータブロックを受信して該当する不備のあったデータブロックに代えて更新設定し（ステップＴ２０）、その上で構内テレビ放送網親機１３に対して一連の動作プログラムの更新を完了したことを通知し（ステップＴ２１）、以上でこの客室端末１４による動作プログラムの転送処理を一旦終了して、再び上記ステップＴ１１からの処理に戻る。
【００４３】
なお、上記ステップＴ１８でその時点でもう不備のあるデータブロックがないと判断した場合には、ステップＴ１９，Ｔ２０の処理を省略して即時ステップＴ２１で構内テレビ放送網親機１３に対して一連の動作プログラムの更新を完了していることを通知し、以上でこの客室端末１４による動作プログラムの転送処理を一旦終了して、再び上記ステップＴ１１からの処理に戻る。
【００４４】
このように、構内テレビ放送網親機１３がすべての客室端末１４，１４，…に対して一連の動作プログラムを一括して転送した後、個々の客室端末１４からの再送要求を受付けて不備のあったデータブロック部分を再送する際、直接再送要求を受付けた客室端末１４以外のまだ更新記憶を完了していない客室端末１４，１４，…に対しても同時に動作プログラムのデータブロック部分を転送するようにしたので、直接再送要求を受付けた客室端末１４が更新記憶を実行している際に、当該動作プログラムのデータブロック部分の更新記憶が必要な他の客室端末１４，１４，…も同時にその処理を実行することができる。
【００４５】
したがって、構内テレビ放送網親機１３が再送する動作プログラムの同一データブロック部分の重複を避けることができるため、結果として大規模で端末数が大きな構内テレビ放送システムであっても、より短時間のうちに全客室端末１４，１４，…の動作プログラムの更新を実行することが可能となる。
【００４６】
例えば、上記従来の技術の項で説明した、客室が１０００室あり、テレビ受像機も１０００台ある大規模なホテルで、転送するプログラムのデータサイズが２［Ｍビット］、データ転送速度が３２［Ｋｂｐｓ］であるとすると、１台毎に端末にプログラム転送を行なう従来の方法であれば、全転送が完了するまでに１８時間程度を要するものとして説明したが、本実施形態の方法では十数分程度以内に完了できるものとなり、大幅に時間を短縮して充分に実用的なものとすることができる。
【００４７】
なお、上記実施形態では、構内テレビ放送網親機１３が全客室端末１４，１４，…に対して動作プログラムの転送を行なうタイミングについては詳述しなかったが、客室端末１４が設置されている客室ＧＲの状況に対応して業務に支障を来さないようなタイミング、例えば本実施形態のようにホテルの構内テレビ配信網システムであれば客室ＧＲを利用されるお客様が当該ホテルをチェックアウトした時点で動作プログラムの転送を実行するものとしてもよい。
【００４８】
図５は、そのような構内テレビ放送網親機１３の他の処理内容を示すもので、ここでは構内テレビ放送網親機１３がホストコンピュータ１５からの信号により、いずれかの客室ＧＲのチェックアウトがあるのを待機するものとする（ステップＳ０１）。
【００４９】
そして、客室ＧＲのチェックアウトがあったと判断した時点で、次に更新すべき動作プログラムがあるか否か判断する（ステップＳ０２）。更新すべき動作プログラムがあると判断した場合にのみ、その時点でチェックアウト済みのすべての客室ＧＲ，ＧＲ，…の客室端末１４，１４，…をホストコンピュータ１５との更新によりサーチし（ステップＳ０３）、サーチしたチェックアウト済みの各客室ＧＲの客室端末１４の動作プログラムの更新履歴を参照して、動作プログラムが未更新のままの客室端末１４が少なくとも１台あるかないかを判断する（ステップＳ０４）。
【００５０】
ここで、未更新のままの客室端末１４が１台もないと判断した場合には再び上記ステップＳ０１からの状態に戻って次のチェックアウトを待機するが、少なくとも１台あると判断した場合には、該当する客室端末１４の各識別番号と全台数Ｎとをチェックし（ステップＳ０５）、その上で上記図３に示したステップＳ１１からの処理を実行する。
【００５１】
このように、構内テレビ放送網親機１３が客室端末１４，１４，…の設置されている状況に対応したタイミングで動作プログラムの更新のための転送処理を実行することで、客室端末１４，１４，…の設置されている状況に対応して、業務等に支障を来すことなく効率的に動作プログラムの更新を実行できる。
【００５２】
なお、上記図５は本実施形態をホテルの構内テレビ配信網システムに適用した場合について示したものであるが、例えば入院患者の病床毎に客室端末１４，１４，…を設置するような病院の構内テレビ配信網システムであれば、上記チェックアウトのタイミングに代えて、消灯時間となったタイミングで更新記憶のための動作プログラムの転送を行なうなど、採用されるシステムの構築状況に対応して個々にタイミング設定を行なうものとする。
【００５３】
また、上記実施形態では、構内テレビ放送網親機１３から転送されてきた動作プログラムを個々の客室端末１４内のメモリ２６に更新記憶させると、それまで記憶していた一つ前のバージョンの動作プログラムはそのメモリ２６から消去されてしまうものとして説明を行なったが、予めメモリ２６がバージョンの異なる少なくとも２つの動作プログラムを記憶可能な領域を有し、構内テレビ放送網親機１３が個々の客室端末１４に対して、メモリ２６に記憶される２つまたはそれ以上の動作プログラムの内の１つを指定して切換選択させることが可能であるものとしてもよい。
【００５４】
図６は、客室端末１４のメモリ２６がそのような複数の動作プログラムを記憶可能な領域を有するものとした場合の、客室端末１４側での処理内容を例示するものである。
【００５５】
その場合、処理当初には構内テレビ放送網親機１３から動作プログラムの変更の通知があるのを待機し（ステップＴ０１）、通知を受けると、続いてその通知が動作プログラムの更新のためのものであるか否かを判断する（ステップＴ０２）。
【００５６】
ここで、動作プログラムの更新のためのものであると判断した場合には、以下上記図４で示したステップＴ１２〜Ｔ２１の処理を実行し、終了後に上記ステップＴ０１からの処理に戻るものとする。
【００５７】
また、上記ステップＴ０２で構内テレビ放送網親機１３からの動作プログラムの変更通知が、動作プログラムの更新のためのものではなかったと判断した場合には、すでにメモリ２６に記憶している複数の動作プログラムの内、新しい方のバージョンにバグなどの不備があったものとして、構内テレビ放送網親機１３からの指定通りメモリ２６の記憶領域を切換える処理を実行し、古い方のバージョンの動作プログラムに基づいて制御部２１が制御動作を行なうものと設定した上で（ステップＴ０３）、再び上記ステップＴ０１からの処理に戻る。
【００５８】
このように、客室端末１４のメモリ２６が複数の動作プログラムを記憶可能な領域を有するものとし、それらのいずれかを構内テレビ放送網親機１３からの指定により選択的に切換えて動作するものとしたことで、更新記憶させた動作プログラムに不備があった場合にも、その前に記憶していた動作プログラムを再度切換選択することにより、少なくとも動作プログラムを更新記憶させる前と同様の状態に戻して正常に動作させることができる。
【００５９】
なお、上記実施形態はホテルの構内テレビ配信網システムに適用した場合について説明したものであるが、本発明はこれに限定するものではなく、一部上述した、入院患者の病床毎に客室端末を設置するような病院の構内テレビ配信網システムや、その他の構内テレビ配信網システムにも用意に適用可能であることはもちろんである。
【００６０】
その他、本発明は上記実施の形態に限らず、その要旨を逸脱しない範囲内で種々変形して実施することが可能であるものとする。
【００６１】
さらに、上記実施の形態には種々の段階の発明が含まれており、開示される複数の構成要件における適宜な組合わせにより種々の発明が抽出され得る。例えば、実施の形態に示される全構成要件からいくつかの構成要件が削除されても、発明が解決しようとする課題の欄で述べた課題の少なくとも１つが解決でき、発明の効果の欄で述べられている効果の少なくとも１つが得られる場合には、この構成要件が削除された構成が発明として抽出され得る。
【００６２】
【発明の効果】
請求項１記載の発明によれば、直接再送要求を受付けたテレビ端末以外のまだ更新記憶を完了していないテレビ端末にも同時に動作プログラムの部分的な転送するようにしたので、直接再送要求を受付けたテレビ端末が更新記憶を実行している際に当該動作プログラム部分の更新記憶が必要な他のテレビ端末も同時にその処理を実行することができ、同一動作プログラム部分の転送の重複を避けることができるため、結果として大規模で端末数が大きな構内テレビ放送システムであっても、より短時間のうちにテレビ端末の動作プログラムの更新を実行することが可能となる。
【００６３】
請求項２記載の発明によれば、上記請求項１記載の発明の効果に加えて、テレビ端末の設置されている状況に対応して、業務等に支障を来すことなく効率的に動作プログラムの更新を実行することができる
請求項３記載の発明によれば、上記請求項１記載の発明の効果に加えて、更新記憶させた動作プログラムに不備があった場合に、その前に記憶していた動作プログラムを再度切換選択することにより、少なくとも動作プログラムを更新記憶させる前と同様の状態に戻すことができる。
【００６４】
請求項４記載の発明によれば、直接再送要求を受付けたテレビ端末以外のまだ更新記憶を完了していないテレビ端末にも同時に動作プログラムの部分的な転送をするようにしたので、直接再送要求を受付けたテレビ端末が更新記憶を実行している際に当該動作プログラム部分の更新記憶が必要な他のテレビ端末も同時にその処理を実行することができ、同一動作プログラム部分の転送の重複を避けることができるため、結果として大規模で端末数が大きな構内テレビ放送システムであっても、より短時間のうちにテレビ端末の動作プログラムの更新を実行することが可能となる。
【図面の簡単な説明】
【図１】本発明の一実施形態に係るシステム全体の構成を示す図。
【図２】同実施形態に係る客室端末の詳細な回路構成を示すブロック図。
【図３】同実施形態に係る動作プログラム転送時の構内テレビ放送網親機側の処理内容を示すフローチャート。
【図４】同実施形態に係る動作プログラム転送時の客室端末側の処理内容を示すフローチャート。
【図５】同実施形態に係る動作プログラム転送時の構内テレビ放送網親機側の他の処理内容を示すフローチャート。
【図６】同実施形態に係る動作プログラム転送時の客室端末側の他の処理内容を示すフローチャート。
【符号の説明】
１１…ヘッドエンド機器
１２…構内テレビ放送（ＣＣＴＶ）網
１３…構内テレビ放送（ＣＣＴＶ）網親機
１４…客室端末
１５…リモコンパッド
１６…ホストコンピュータ
１７…リモコンパッド
２１…制御部
２２…チューナ
２３…復調部
２４…変調部
２５…Ｉｒ受信部
２６…メモリ
【図１】
2004165995.tif 000003
【図２】
2004165995.tif 000004
【図３】
2004165995.tif 000005
【図４】
2004165995.tif 000006
【図５】
2004165995.tif 000007
【図６】
2004165995.tif 000008